(57)【要約】【課題】プルハンドルが突然飛び出すことを防止可能なプルハンドル装置を提供する。【解決手段】プルハンドル１０は押しボタン１６の制御によってスーツケースに向かい合って所定の高さまで飛び出す。受け座２２は、レールおよびレールの径路上に配置される穿孔２２ａを有し、穿孔２２ａは押しボタン１６を可動に維持するように収容する。スライドキャップ２４は受け座２２と結合し、レールに沿って未遮蔽位置と遮蔽位置との間に位置を切り替えることができる。スライドキャップ２４が未遮蔽位置に据えられるとき、押しボタン１６は外部に露出する。スライドキャップ２４が遮蔽位置に据えられるとき、押しボタン１６は外部に露出せずスライドキャップ２４の下方に位置付けられる。このような装置によると、スーツケースが外からの衝撃を受けても、プルハンドル１０が突然勝手に飛び出すという事態を防止することができる。【選択図】  図２
0003147698.tif 000002
【実用新案登録請求の範囲】
【請求項１】
ポップアップ機能を有するスーツケースのプルハンドルに用いられ、前記プルハンドルが押しボタンの制御によって前記スーツケースに向かい合って所定の高さまで飛び出すプルハンドル装置であって、
レールおよび前記レールの径路上に配置される穿孔を有し、前記穿孔は前記押しボタンを可動に維持するように収容する受け座と、
前記受け座と結合し、かつ前記レールに沿って未遮蔽位置と遮蔽位置との間に位置を切り替えることが可能であるスライドキャップと、を備え、
前記スライドキャップが前記未遮蔽位置に据えられるとき、前記押しボタンは外部に露出し、前記スライドキャップが前記遮蔽位置に据えられるとき、前記押しボタンは外部に露出しないことを特徴とするプルハンドル装置。
【請求項２】
前記受け座は、前記穿孔に隣接しかつ前記レールの径路上に位置するチャンバーを有し、前記スライドキャップは、前記チャンバーに入り込み、前記未遮蔽位置に据えることが可能であることを特徴とする請求項１に記載のプルハンドル装置。
【請求項３】
前記プルハンドル装置は、さらに前記受け座と結合しかつ第一位置と第二位置との間を移動して位置を変更することが可能な装飾板を備え、前記装飾板が前記第一位置まで移動すると前記スライドキャップは前記遮蔽位置に据えられ、前記装飾板に隣り合い、前記装飾板が前記第二位置まで移動すると前記スライドキャップは前記未遮蔽位置に据えられることを特徴とする請求項２に記載のプルハンドル装置。
【請求項４】
前記プルハンドル装置は、さらに前記装飾板を前記第一位置に移動させる弾力を提供可能な少なくとも一つのスプリングを備えることを特徴とする請求項３に記載のプルハンドル装置。
【請求項５】
前記装飾板は、前記受け座の前記チャンバー内において縦方向に沿って前記第一位置と前記第二位置の間を上下に移動し、少なくとも一つの前記スプリングは一端が前記受け座の前記チャンバーの底面に突き当たり、他端が前記装飾板の底面に突き当たることを特徴とする請求項４に記載のプルハンドル装置。
【請求項６】
前記スライドキャップは、側辺に第一斜面を有し、前記装飾板は前記第一斜面に対応する第二斜面を有し、前記スライドキャップが前記遮蔽位置から前記未遮蔽位置に移動すると、前記第一斜面は前記第二斜面を押して前記装飾板を前記第一位置から前記第二位置まで降下させることを特徴とする請求項５に記載のプルハンドル装置。
【請求項７】
前記受け座は、前記チャンバーを貫通する少なくとも一つの固定孔を有し、前記装飾板は、前記固定孔に対応する少なくとも一つの係止部を有し、前記係止部は末端に形成されたフック部を有し、前記フック部が前記受け座の底面に引っ掛かることによって前記装飾板を前記第一位置に停止することが可能であることを特徴とする請求項５に記載のプルハンドル装置。
【請求項８】
前記受け座の前記レールは、前記穿孔および前記チャンバーの両側に平行するように配置された二つのスライド溝を有し、前記スライドキャップは、両側に前記スライド溝に対応する誘導部を別々に有することを特徴とする請求項２に記載のプルハンドル装置。
【考案の詳細な説明】
【技術分野】
【０００１】
本考案は、プルハンドル装置に関し、特に、ポップアップ機能を有するスーツケースに用いられ、防護構造を有するプルハンドル装置に関する。
【背景技術】
【０００２】
スーツケースの設計の傾向は、軽量化、堅牢化および耐用化の方面に展開している。とくに使用上の利便性は、無視できない設計上の重要点である。
伸縮プルハンドルを例にあげると、伸縮プルハンドルの伸縮特性は、スーツケースの滑走または搬送に便利である。図1に示すように、伸縮プルハンドル１はスーツケースの背部位置に装着され、未使用の際には、グリップ１ａが外部に露出し、グリップ１ａ以外の部分が殻体２の内部に収納される。殻体２はグリップ１ａを収納し、スーツケース全体の美観を保つため、グリップ１ａの収納位置に対応する陥没部２ａを有する。
【０００３】
収納状態のグリップ１ａと陥没部２ａの底面２ｂとの間に使用者の手が入る余分な隙間がないため、伸縮プルハンドル１を引き出して使用するのは容易なことでない。この問題を解決するため、伸縮プルハンドル１にポップアップ構造（図中未表示）を増設し、押しボタン３によってポップアップ構造と伸縮プルハンドル１との間の係止関係を解除し、そしてポップアップ構造のスプリングによって伸縮プルハンドル１を飛び出させ、かつグリップ１ａを殻体２の所定の高さ（図１の虚線に示す）に位置させることによってグリップ１ａと陥没部２ａの底面２ｂとの間の隙間を増大させるような設計が、多くの業者に採用されている。従って、使用者はグリップ１ａと陥没部２ａの底面２ｂとの間の隙間に手を入れて伸縮プルハンドル１を引き出して使用することが容易になる。
【０００４】
押しボタン３は、ポップアップ構造と伸縮プルハンドル１との間の係止関係の解除に用いる最も簡単で、なおかつ便利な開閉制御機構であるが、押しボタン３は防護対策が設けられないため、誤触によって伸縮プルハンドル１を自動的に飛び出させてしまうという事態が発生する。または、押しボタン３が押されなくてもスーツケースが外力からの衝撃を受ける時、押しボタン３はポップアップ構造を確実に制限し、ポップアップ構造と伸縮プルハンドル１との係止を持続的に維持することができず、ポップアップ構造と伸縮プルハンドル１とを分離させ、伸縮プルハンドル１は自動的に飛び出すという事態が発生する。上述の事態のため、一部分が外部に露出する伸縮プルハンドルの使用が不便になる。
【考案の開示】
【考案が解決しようとする課題】
【０００５】
本考案の主な目的は、ポップアップ機能を有するスーツケースのプルハンドルに用いられ、プルハンドルが未使用の際に突然勝手に飛び出すことを防止可能なプルハンドル装置を提供することである。
本考案のもう一つの目的は、ポップアップ機能を有するスーツケースのプルハンドルに用いられ、操作および使用に便利な長所があるプルハンドル装置を提供することである。
【課題を解決するための手段】
【０００６】
上述の目的を達成するため、本考案によるプルハンドル装置は、ポップアップ機能を有するスーツケースのプルハンドルに用いられ、プルハンドルは押しボタンの制御によってスーツケースに向かい合って所定の高さまで飛び出すことができる。本考案によるプルハンドル装置は、受け座およびスライドキャップを備える。受け座は、レールおよびレールの径路上に配置される穿孔を有し、穿孔は押しボタンを可動に維持するように収容する。スライドキャップは受け座と結合し、かつレールに沿って未遮蔽位置と遮蔽位置との間に位置を切り替えることができる。スライドキャップが未遮蔽位置に据えられるとき、押しボタンは外部に露出する。スライドキャップが遮蔽位置に据えられるとき、押しボタンは外部に露出せずスライドキャップの下方に位置付けられる。
【考案を実施するための最良の形態】
【０００７】
以下、本考案の実施形態を図面に基づいて説明する。
本考案によるプルハンドル装置は、押しボタンによってポップアップを制御するスーツケースのプルハンドルとして用いられる。押しボタンは押されるとポップアップ構造とプルハンドルとの係止関係を解除し、プルハンドルはポップアップ構造のスプリングによって所定の高さまで飛び出すため、使用者は手でプルハンドルの頂部に位置するグリップを握ってプルハンドルを引き出して使用することが容易になる。ポンプアンプ構造は従来の技術であり、本考案の重点でないため、説明を省略する。続いて本考案に係る押しボタンおよび本考案によるプルハンドル装置の関係について説明を進める。
【０００８】
（一実施形態）
図２から図４に示すように、本考案の一実施形態によるプルハンドル装置２０は、ポップアップ機能を有するスーツケースのプルハンドル１０に用いられ、かつプルハンドル１０が未使用の際に突然勝手に飛び出すことを防止する機能を有する。本実施形態においてプルハンドル装置２０は、受け座２２、スライドキャップ２４、装飾板２６および四つのスプリング２８を備える。
【０００９】
受け座２２は、板体を呈し、かつ底座１２との結合によってプルハンドル１０上の使用者の手に握られるグリップ１４を構成する。部分的なポンプアンプ構造は受け座２２と底座１２の間に装着される。本実施形態において、受け座２２は穿孔２２ａ、チャンバー２２ｂ、二つの固定孔２２ｄおよび二つのスライド溝２２ｅを有する。穿孔２２ａは受け座２２の中央位置を貫通し、かつポップアップ構造とプルハンドル１０との間の係止関係の解除に用いる押しボタン１６を可動に維持するように収容する。チャンバー２２ｂは穿孔２２ａに隣接する一側が陥没することによって形成され、かつ底面を貫通しない深孔２２ｃを四つ有し、深孔２２ｃはチャンバー２２ｂの隅に別々に位置付けられる。固定孔２２ｄはチャンバー２２ｂを別々に貫通する。スライド溝２２ｅは穿孔２２ａおよびチャンバー２２ｂの両側に平行するように配置され、かつスライドキャップ２４をスライドさせるレールを構成する。
【００１０】
図５と図６に示すように、スライドキャップ２４は、弧状板体を呈し、両側にスライド溝２２ｅに対応する誘導部２４ａを別々に有する。受け座２２と結合した後のスライドキャップ２４はレールによって形成される径路に沿って図４に示す遮蔽位置Ｐ１と図９に示す未遮蔽位置Ｐ２の間に位置を切り替えることができる。スライドキャップ２４は先端に第一斜面２４ｂを有する。
【００１１】
図７に示すように、装飾板２６は弧状板体を呈し、かつ相対的な両側の縁部を下に伸ばすことによって形成された二つの係止部２６ａを有し、係止部２６ａは末端にフック部２６ｂを別々に有する。装飾板２６は二つの係止部２６ａによって固定孔２２ｄを貫通することによって受け座２２と結合することが可能である。係止部２６ａは末端のフック部２６ｂが受け座２２の底面に引っ掛かることによって受け座２２から逸脱することを防止することが可能である。また装飾板２６は二つのうちの一つの係止部２６ａの側辺にスライドキャップ２４の第一斜面２４ｂに対応する第二斜面２６ｃを有する。組み立てられた後の装飾板２６は受け座２２のチャンバー２２ｂの位置において縦方向に沿って図４に示す第一位置Ｓ１と図９に示す第二位置Ｓ２の間を上下に移動するしかできない。
【００１２】
スプリング２８は、受け座２２および装飾板２６の間に別々に装着され、スプリング２８は一端が深孔２２ｃの中に嵌り、他端が装飾板２６の底面に突き当たるため、装飾板２６はスプリング２８の弾力によって第一位置Ｓ１に移動することが可能である。
【００１３】
以上は、本考案の一実施形態によるプルハンドル装置２０についての説明であった。続いて操作および達成した効果について説明を進める。
【００１４】
図３から図５に示すように、スライドキャップ２４が遮蔽位置Ｐ１に据えられ、押しボタン１６が外部に露出せず下方に隠れるとき、押しボタン１６は上方のスライドキャップ２４の保護を受けるため、押しボタン１６の誤触が発生しない。かつ、押しボタン１６はスライドキャップ２４によって制限されるため、スーツケースが外からの衝撃を受ける時でも、ポップアップ構造とプルハンドル１０との逸脱現象を抑制可能であるだけでなく、プルハンドル１０が突然勝手に飛び出すという事態を防止可能である。同時に装飾板２６はスプリング２８の弾力を受け、かつ係止部２６ａの末端のフック部２６ｂが受け座２２の底面に引っ掛るため、第一位置Ｓ１に留まる。一方、装飾板２６と遮蔽位置Ｐ１に据えられるスライドキャップ２４は隣り合うように配置されるため、グリップ１４の外観の全体性を維持し、美化効果を果たすことができる。
【００１５】
使用者がプルハンドル１０の自動的ポップアップ機能によってグリップ１４を握ろうとする場合、指でスライドキャップ２４を装飾板２６の方面に軽く押し、スライドギャップ２４の第一斜面２４ｂによって装飾板２６の第二斜面２６ｃを押せば、装飾板２６は下向きに押される。図８に示すように、スライドキャップ２４が受け座２２のチャンバー２２ｂに入り込み、装飾板２６が第二位置Ｓ２まで降下するとき、スライドキャップ２４はスプリング２８によって第二位置Ｓ２の方向に押し付けられた装飾板２６の影響を受けるため、図９に示す未遮蔽位置Ｐ２上に確実に制限され、かつ押しボタン１６を外部に露出させる。従って、押しボタン１６を押してプルハンドル１０を自動的に飛び出させてグリップ１４を握ることが可能である。逆に、スライドキャップ２４を反対方向に押せば、図３に示す状態に復元することができる。
【００１６】
上述した実施形態において、装飾板２６はグリップ１４の外観の全体性を維持し、かつスプリング２８によってスライドキャップ２４に突き当たり、スライドキャップ２４を未遮蔽位置Ｐ２に制限する。説明すべきことは、本考案の目的を達成するため、必ずしも装飾板２６およびスプリング２８に頼るとは限らないことである。簡単に言えば、穿孔２２ａまたはチャンバー２２ｂの上方にスライドキャップ２４の移動を切り替えれば、押しボタン１６を遮蔽する目的を達成することができる。また構造上の美観性を保つため、チャンバー２２ｂを非開放状態にすることによって未遮蔽位置Ｐ２に位置付けられるスライドキャップ２４を隠すことも可能である。
【００１７】
上述した実施形態は、本考案の比較的好ましい一例に過ぎないため、本考案の説明書および請求範囲に基づいて効果が同等な変更および修正を行うことは本考案の請求範囲に属するべきである。
【図面の簡単な説明】
【００１８】
【図１】プルハンドルにポップアップ機能を有するスーツケースを示す斜視図。
【図２】本考案の一実施形態によるプルハンドル装置を示す分解斜視図。
【図３】本考案の一実施形態によるプルハンドル装置が組み立てられた後の状態を示す斜視図。
【図４】本考案の一実施形態によるプルハンドル装置が押しボタンを遮蔽する状態を示す部分断面図。
【図５】図４の５−５線に沿った断面図。
【図６】本考案の一実施形態によるプルハンドル装置におけるスライドキャップを示す斜視図。
【図７】本考案の一実施形態によるプルハンドル装置における装飾板を示す斜視図。
【図８】本考案の一実施形態によるプルハンドル装置においてスライドキャップを押す状態を示す部分断面図。
【図９】本考案の一実施形態によるプルハンドル装置において押しボタンが外部に露出する状態を示す部分断面図。
【符号の説明】
【００１９】
１０：プルハンドル、  １２：底座、  １４：グリップ、  １６：押しボタン、  ２０：プルハンドル装置、  ２２：受け座、  ２２ａ：穿孔、  ２２ｂ：チャンバー、  ２２ｃ：深孔、  ２２ｄ：固定孔、  ２２ｅ：スライド溝、  ２４：スライドキャップ、  ２４ａ：誘導部、  ２４ｂ：第一斜面、  ２６：装飾板、  ２６ａ：係止部、  ２６ｂ：フック部、  ２６ｃ：第二斜面、  ２８：スプリング、  Ｐ１：第一遮蔽位置、  Ｐ２：未遮蔽位置、  Ｓ１：第一位置、  Ｓ２：第二位置
【図１】
0003147698.tif 000003
【図２】
0003147698.tif 000004
【図３】
0003147698.tif 000005
【図４】
0003147698.tif 000006
【図５】
0003147698.tif 000007
【図６】
0003147698.tif 000008
【図７】
0003147698.tif 000009
【図８】
0003147698.tif 000010
【図９】
0003147698.tif 000011